(57)【要約】【課題】高画質データを表示する際の操作性の改善を図れ、利便性の向上を図れる表示機器を提供する。【解決手段】本発明の表示機器は、表示部４と、第１データが記憶される第１記憶部１４と、第２データが記憶される外部メモリ３と、第２記憶部が接続される接続インタフェース部１２と、第１データに関連付けられた第１関連データ、および第２データに関連付けられた第２関連データが記憶される関連データ記憶部１５と、第１関連データおよび第２関連データを対応付けて表示部４に表示する制御を行う主制御部１０と、により構成される。【選択図】図１
2008022163.tif 000002
【特許請求の範囲】
【請求項１】
表示部と、
第１データが記憶される第１記憶部と、
第２データが記憶される外部メモリが接続可能な外部メモリ接続部と、
前記第１データに関連付けられた第１関連データ、および前記第２データに関連付けられた第２関連データを前記表示部に同時に表示させるように制御する主制御部と、
を有することを特徴とする表示機器。
【請求項２】
前記主制御部による制御の下、前記表示部に表示される前記第１関連データ、または第２関連データに基づいて前記第１データまたは前記第２データを表示させることを特徴とする請求項１に記載の表示機器。
【請求項３】
前記第１関連データおよび前記第２関連データが記憶される関連データ記憶部を有する
ことを特徴とする請求項１又は請求項２に記載の表示機器。
【請求項４】
前記外部メモリが前記外部メモリ接続部に対して接続状態にある場合、前記外部メモリに記憶されている前記第２データと関連付けられた前記第２関連データを生成する関連データ生成部を有し、
前記関連データ記憶部は、前記関連データ生成部により生成される前記第２関連データを記憶する
ことを特徴とする請求項３に記載の表示機器。
【請求項５】
前記外部メモリが、前記外部メモリ接続部に接続状態にあり、前記外部メモリに記憶されている前記第２データと同じデータが前記第１記憶部に記憶されている場合、前記関連データ生成部は、外部メモリに記憶される第２データと関連付けられた前記第２関連データの生成を行わない
ことを特徴とする請求項４に記載の表示機器。
【請求項６】
前記主制御部は、
前記外部メモリが、前記外部メモリ接続部に接続されていない状態にある場合、前記関連データ記憶部に記憶されている前記第１関連データのみを前記表示部に表示させる
ことを特徴とする請求項３から請求項５のいずれか一に記載の表示機器。
【請求項７】
前記主制御部は、
前記外部メモリが、前記外部メモリ接続部に接続されていない状態にある場合、前記関連データ記憶部に記憶されている前記第１関連データ及び／又は前記第２関連データを前記表示部に表示させる
ことを特徴とする請求項３又は請求項４に記載の表示機器。
【請求項８】
撮影部を有し、
前記主制御部は、前記外部メモリが、前記外部メモリ接続部を介して装置本体に接続された状態にある場合には、前記撮影部により撮影され取得される画像データを前記第２データとして前記外部メモリに記憶させ、前記外部メモリが前記外部メモリ接続部に接続された状態にない場合には、当該画像データを前記第１記憶部に前記第１データとして記憶させる
ことを特徴とする請求項１から請求項７のいずれか一に記載の表示機器。
【発明の詳細な説明】
【技術分野】
【０００１】
本発明は、保存データの表示を行う、表示機器に関する。
【背景技術】
【０００２】
ＣＣＤ（Charge Coupled Device）センサ等の撮像素子で撮影した被写体画像をデジタル画像データに変換し、内蔵メモリやメモリカード等の外部記録媒体に記録するデジタルカメラ、あるいは同デジタルカメラを搭載した携帯電話端末が普及している。
【０００３】
ところで、上記したデジタルカメラにおいて、記憶容量に基づく制限、および撮影画像を編集する際の利便性を得ることを目的に、デジタルカメラで撮影された画像データをサーバが持つ大容量メモリに記録し、デジタルカメラではその画像データを消去してサムネイル画像のみを残し、当該サムネイル画像に基づき編集した編集情報により、サーバに保存された画像データを編集する技術が知られている（例えば、特許文献１参照）。
【特許文献１】特開２００５−２２３７９５号公報
【発明の開示】
【発明が解決しようとする課題】
【０００４】
上述した背景技術によれば、撮影された被写体画像を表示するためには、被写体画像が内蔵メモリに保存されている場合には、内蔵メモリに保存されている被写体画像を表示するための操作を、また、被写体画像が外部記憶媒体に保存されている場合には、外部記憶媒体に保存されている被写体画像を表示するための操作をそれぞれ行わなければならない。つまり、所望のデータを表示するためには、そのデータの保存先を理解した上でデータを表示するための操作が必要であり、操作性に難がある。
【０００５】
本発明の目的は、所望のデータを表示する際の操作性の改善をはかり、利便性の向上をはかった表示機器を提供することにある。
【課題を解決するための手段】
【０００６】
本発明の表示機器は、表示部と、第１データが記憶される第１記憶部と、第２データが記憶される外部メモリが接続可能な外部メモリ接続部と、前記第１データに関連付けられた第１関連データ、および前記第２データに関連付けられた第２関連データを前記表示部に同時に表示させるように制御する主制御部と、を有する。
【０００７】
好適には、前記主制御部による制御の下、前記表示部に表示される前記第１関連データ、または第２関連データに基づいて前記第１データまたは前記第２データを表示させる。
【０００８】
好適には、前記第１関連データおよび前記第２関連データが記憶される関連データ記憶部を有する。
【０００９】
好適には、前記外部メモリが前記外部メモリ接続部に対して接続状態にある場合、前記外部メモリに記憶されている前記第２データと関連付けられた前記第２関連データを生成する関連データ生成部を有し、前記関連データ記憶部は、前記関連データ生成部により生成される前記第２関連データを記憶する。
【００１０】
好適には、前記外部メモリが、前記外部メモリ接続部に接続状態にあり、前記外部メモリに記憶されている前記第２データと同じデータが前記第１記憶部に記憶されている場合、前記関連データ生成部は、外部メモリに記憶される第２データと関連付けられた前記第２関連データの生成を行わない。
【００１１】
好適には、前記主制御部は、前記外部メモリが、前記外部メモリ接続部に接続されていない状態にある場合、前記主制御部は、前記関連データ記憶部に記憶されている前記第１関連データのみを前記表示部に表示させる。
【００１２】
好適には、前記主制御部は、前記外部メモリが、前記外部メモリ接続部に接続されていない状態にある場合、前記関連データ記憶部に記憶されている前記第１関連データ及び／又は前記第２関連データを前記表示部に表示させる。
【００１３】
好適には、撮影部を有し、前記主制御部は、前記外部メモリが、前記外部メモリ接続部を介して装置本体に接続された状態にある場合には、前記撮影部により撮影され取得される画像データを前記第２データとして前記外部メモリに記憶させ、前記外部メモリが前記外部メモリ接続部に接続された状態にない場合には、当該画像データを前記第１記憶部に前記第１データとして記憶させる。
【発明の効果】
【００１４】
本発明によれば、所望のデータを表示する際の操作性の改善をはかり、かつ、利便性の向上をはかることができる。
【発明を実施するための最良の形態】
【００１５】
図１は、本発明の実施の形態にかかわる表示機器の内部構成を示すブロック図である。ここでは、携帯電話端末に使用される表示機器が例示されていると共に、表示に関するブロックのみを抽出して表示している。
【００１６】
図１において、符号１は、携帯電話端末の装置本体、符号２は、ＣＣＤカメラ等の撮像部、符号３は、外部メモリカード（メモリカード）等の第２記憶部としての外部メモリ、符号４はＬＣＤ（Liquid Crystal Display Device）モニタ等の表示部、符号５は、キースイッチ等の操作入力部を、それぞれ示している。
【００１７】
装置本体１は、主制御部１０を制御中枢とし、画像データ生成部１１と、外部メモリ接続部としての接続インタフェース部１２（外部メモリ接続部）と、関連データ生成部１３と、第１記憶部としての内部メモリ１４と、関連データ記憶部１５と、表示制御部１６と、入力データ取得部１７とにより構成される。
なお、図１に示す主制御部１０は、ＣＰＵを内蔵し、ＣＰＵがメモリに記憶されたプログラムを逐次読み出し実行してメモリ（不図示）を含む周辺ＬＳＩを制御することにより、本発明の表示機器が持つ機能を実現するものとする。ここで、周辺ＬＳＩとは、接続インタフェース部１２、表示制御部１６、入力データ取得部１７をいい、メモリには、上記したプログラムの他に、内部メモリ１４、関連データ記憶部１５が割り付けられ記憶されるものとする。
なお、図示省略されているが、他に、通信を行うために必要な高周波回路、音声処理回路等が内蔵されている。
【００１８】
画像データ生成部１１は、撮像部２により撮影され取得される映像信号からＤＣＦ（Design rule for Camera File System）形式に準拠した画像データを生成し、高画質データを内部メモリ１４又は、接続インタフェース部１２経由で外部メモリ３及び後述の関連データ生成部１７へ出力する。内部メモリ１４又は外部メモリ３は出力された画像データを記憶する。
なお、ここで、画像データ生成部１１により生成された画像データのうち、内部メモリ１４に記憶された画像データを第１データとし、外部メモリ３に記憶された画像データを第２データとする。
【００１９】
ここで、ＤＣＦとは、日本電子工業振興協会（ＪＥＩＤＡ）が制定したデジタルカメラ用画像フォーマットであり、Ｅｘｉｆ−ＪＰＥＧを基本にフォルダ構造やメモリへの記録様式等を定義したものであり、異機種間での互換性を保証している。（なお、このＤＣＦ形式の画像ファイルには、撮影機種や撮影日、データサイズ等の情報も格納される。）
【００２０】
接続インタフェース部１２は、装置本体１と外部メモリ３とを接続するための電気的、あるいは機械的インタフェースとなるメモリカードスロットであり、ここでは、主に、外部メモリ３との間のデータパスとなる他に、外部メモリ３の機械的、電気的接続を検知して主制御部１０に通知する。
関連データ生成部１３は、画像データ生成部１１により生成された画像データの縮小データであるサムネイル画像を生成すると共にこのサムネイル画像と、内部メモリ１４又は外部メモリ３に記憶された画像データとをリンクさせるために後述するインデックスを生成し、これらサムネイル画像及びインデックスを関連データ記憶部１５へ出力する。
関連データ記憶部１５は、これら出力されたデータを記憶する。
なお、関連データ生成部により生成されたサムネイル画像のうち、内部メモリ１４に記憶された画像データに係るサムネイル画像を第１関連データとし、外部メモリ３に記憶された画像データに係るサムイネル画像を第２関連データとする。
【００２１】
図２は、関連データ生成部１３により生成されたインデックスの構造の一例を示す図である。同図に示されるように、インデックステーブルは、サムネイル画像のファイル名１５１と、外部メモリシリアルナンバー１５２および保存先アドレス（保存階層）１５３の各データフィールドから構成され、関連データ記憶部１５に記憶される。なお、本図のインデックステーブルは、すべて外部メモリ１３に記憶された画像データとその画像データに係るサムネイル画像をリンクさせるためのインデックスデータを示したものであるが、内部メモリ１４に記憶された画像とその画像データに係るサムネイル画像とのリンクのためのインデックスデータも外部メモリシリアルナンバーが含まれない点以外、同一の構成を有する。
装置本体１（主制御部１０）は、ファイル名１５１と、内部メモリ１４又は外部メモリ３に保存される画像データとを関連付け、内部メモリ１４又は外部メモリ３に保存したフォルダ階層を管理する。
【００２２】
説明を図１に戻す。表示制御部１６は、内部メモリ１４又は外部メモリ３に記憶された画像データと、関連データ記憶部１５に記憶されたサムネイル画像及びインデックステーブルとを入力として得、主制御部１０による制御の下、それらのデータを表示部４の表示タイミングに同期して読み出し、表示部４に出力して表示する。
入力データ取得部１７は、主制御部１０による制御の下、ユーザーが操作入力部５を操作することにより取得される入力情報を取り込んで主制御部１０へ出力する。この場合、操作入力部５は表示部４とともに、主制御部１０による高画質データへのリンク制御を起動する際のユーザインタフェースとして機能する。
【００２３】
なお、主制御部１０は、外部メモリ３が装置本体１に実装された状態にある場合、外部メモリ３に既に記憶されている高画質データを関連データ生成部１４に出力してサムネイル画及びインデックスデータを生成し、関連データ記憶部１５に記憶する制御を行うこともできる。また、その際、既に外部メモリ３に記憶されている高画質データが内部メモリ１４に記憶されている高画質データと同じデータである場合には、その高画質データについての関連データ生成部１３によるサムネイル画像及びインデックスデータの生成を停止（禁止）する制御を実行することもできる。
主制御部１０は更に、表示制御部１６を制御することにより、外部メモリ３が装置本体１に接続されていない状態にある場合でも、外部メモリ３に記憶されている画像データに係るサムネイル画像及びインデックスデータ名を、表示部４に表示することもできる。詳細は後述する。
【００２４】
図３、図４は、本発明の実施の形態にかかわる表示機器の動作を説明するために引用したフローチャートであり、データの保存処理、データフォルダ呼び出し処理のそれぞれの流れが示されている。
以下、図３、図４のフローチャートを参照しながら本発明の実施の形態にかかわる表示機器の動作について詳細に説明する。
【００２５】
図３において、主制御部１０により、撮像部２による撮影機能が起動されると、主制御部１０は、次に、接続インタフェース部１２と交信して、外部メモリ３が装置本体１に実装された状態にあるか否かを判定する（Ｓ３０１）。
ここで、外部メモリ３が実装された状態にあると判定され、撮像部２による撮影が行なわれると（Ｓ３０２）、撮像部２により撮影され取得される映像信号は画像データ生成部１１に出力される。
【００２６】
画像データ生成部１１は、映像信号からＤＣＦ形式に準拠した画像データを生成すると共に、画像データを接続インタフェース部１２経由で外部メモリ３へ出力し、さらに、画像データを関連データ生成部１３に出力もする。外部メモリ３は出力された画像データを保存し（Ｓ３０３）、また関連データ生成部１３は、出力された画像データを基にしてサムネイル画像を生成すると共にそのサムネイル画像と、外部メモリ３に保存した画像データとを関連付けるために、サムネイル画像に付与されるファイル名を取得すると共に、接続インタフェース部１２を経由して外部メモリ３を参照し、外部メモリ３のシリアルナンバーと保存階層を取得し、図２に一例が示されたインデックステーブルを生成し（Ｓ３０４，Ｓ３０５）、関連データ記憶部１５に出力する（Ｓ３０６）。
【００２７】
なお、ステップＳ３０１において、外部メモリ３が実装されていない状態にあると判定され、撮像部２による撮影が行われると（Ｓ３０７）、その画像データは内部メモリ１４に保存され（Ｓ３０８）、その後は、上述したステップＳ３０４に移行し、以下ステップＳ３０６まで同様の動作を行う。
【００２８】
図４のフローチャートは、上記のようにして、内部メモリ１４又は外部メモリ３に保存された画像データを呼び出すための処理を示すものである。
まず主制御部１０は、表示制御部１６を制御して、関連データ記憶部１５に記憶されたサムネイル画像（第一関連データ及び第二関連データ）を表示部４に表示してユーザーに選択指示を促す。この状態を示す概念図が図６（ａ）である。本図では、計９つのサムネイル画像（１）〜（９）が表示されており、これらサムネイル画像は、第１関連データ（内部メモリ１４に記憶された関連データ）としてのサムネイル画像（１）〜（４）、そして第二関連データ（外部メモリ３に記憶された関連データ）としてのサムネイル画像（５）〜（９）で構成されている。ユーザーは、このように表示部４に表示されたサムネイル画像の中から、高画質データを表示したいサムネイル画像を、操作入力部５を操作することにより選択入力する（Ｓ４０１）。ここで選択入力された情報は、入力データ取得部１７を介して主制御部１０に取り込まれる。なお、ここでは（１）のサムネイル画像が選択されたものとする。
【００２９】
そして次に、関連データ記憶部１５に記憶されたインデックスデータを参照して保存先アドレスに該当の画像データがあるか否かを検索する（Ｓ４０２）。
【００３０】
なお、ステップＳ４０１の処理において、外部メモリ３に記憶された画像データに係るサムネイル画像が選択されたが、外部メモリ３が接続された状態にないと判定された場合、主制御部１０は、表示制御部１６を制御して、図５(a)に示されるようにイレギュラー表示（外部メモリ３挿入指示ポップアップ）を行う（Ｓ４０４）。
また、ステップＳ４０２の処理において、保存先アドレスに該当の画像データが無いと判定された場合、主制御部１０は、表示制御部１６を制御して、図５(b)に示されるようにイレギュラー表示（該当のデータが無いことを示すポップアップ）を行う（Ｓ４０５）。
【００３１】
さて、ステップＳ４０２にて保存先アドレスに該当の画像データがあると判定された場合、保存先アドレスが内部メモリ１４に存在するときは主制御部１０は内部メモリ１４から画像データを取得し、外部メモリ３に存在するときは、主制御部１０は更に、接続インタフェース部１２を経由して外部メモリ３から画像データを取得して表示制御部１６に供給する。表示制御部１６は、その画像データを表示部４に表示する（Ｓ４０３）。この様子を示す概念図が図６（ｂ）である。ここではステップＳ４０１で選択されたサムネイル画像（１）に係る画像データが表示部４に表示されている。
【００３２】
上記した実施の形態によれば、撮影部２で撮影した画像データは内部メモリ１４又は、メモリカード等外部メモリ３へ保存されるとともに、当該画像データに係るサムネイル画像を当該画像データとリンクされる形で関連データ記憶部１５へ保存もされるため、ユーザーは、当該画像データを、このサムネイル画像を選択することにより内部メモリ１４又は外部メモリ３へリンクして再生することができる。すなわちシニア層を含む初心者のように、撮影データが外部メモリ３へ保存される概念がない人でも、簡単に保存したデータを確認できる。
また、内部メモリ１４（データフォルダ）と外部メモリ３との一体感を向上させることができ、データフォルダ内で、高画質データも含めて時系列で確認することができる。このように、高画質データを表示する際の操作性の改善をはかり、利便性の向上をはかった表示機器を提供することができる。
【００３３】
なお、本発明は本実施形態の態様に限られず、技術的範囲を逸脱しない範囲で適宜変更・応用が可能である。
【００３４】
例えば、本実施形態においてはサムネイル画像を関連データ記憶部１５に記憶し、その記憶されたサムネイル画像に基づいて内蔵メモリ１４又は外部メモリ３に記憶された画像データを表示可能に構成されていたが、本発明はこれに限られるものではない。すなわち関連データ記憶部１５がなくとも、内部メモリ１４や外部メモリ３にサムネイル画像を予め生成・保存した上で記憶させる構成とし（サムネイル画像生成タイミングは、例えば画像データ保存時）、主制御部１０が、表示制御部１６を制御して、サムネイル画像を表示部４に表示してユーザーに選択指示を促した段階でそれらのサムネイル画像を表示部４に同時に表示するよう制御してもよい。
【００３５】
または、サムネイル画像を前もって生成することはせず、制御部１０が、表示制御部１
６を制御して、サムネイル画像を表示部４に表示してユーザーに選択指示を促した段階で、
関連データ生成部１３が内部メモリ１４及び外部メモリ３に記憶されている画像データの
サムネイル画像を生成し、その後、その生成されたサムネイル画像を表示部４に表示する
よう制御してもよい。
【００３６】
また、本実施形態においては、外部メモリ３が接続インタフェース１２に対して接続状態のいかんに関わらず、サムネイル画像の一覧を表示部４に表示可能な構成としたが、本発明はこれに限定されるものではない。例えば、外部メモリ３が接続インタフェース１２に対して接続状態にない場合には、外部メモリ３に記憶されている画像データに係るサムネイル画像だけは少なくともその一覧に表示させないようにしてもよいし、内部メモリ１４に記憶されている画像データに係るサムネイル画像のみをその一覧に表示させるようにしてもよい。このようにすることで、外部メモリ３に記憶されている画像データに係るサムネイル画像を表示部４に表示したにもかかわらず外部メモリ３が接続インタフェース接続されていないために、そのサムネイル画像に係る画像データを読み出すことかできないとといった弊害を除去することができる。
【００３７】
ただし、このように外部メモリ３が接続インタフェース１２に対して接続状態にない場合でも、外部メモリ３に記憶されている画像データに係るサムネイル画像もあえて表示させるようにしてもよい。このようにすることで、ユーザーは接続状態のいかんに関わらず、関連データ記憶部１５に記憶されたサムネイル画像だけは少なくとも閲覧することができ
るという効果を得ることができる（本実施形態では実際このような態様になっている）。
【００３８】
また、本実施形態においては、関連データ生成部１３により生成されるサムネイル両像及びインデックスデータは、全て撮影部２により撮影された画像データに基づいて生成される構成となっていたが、本発明はこれに限られない。すなわち、例えば、その他のカメラ等で撮影されて保存された画像データや、その他の機器を介して、若しくはネットワークを介して転送された画像データ等、撮影部２により撮影された画像データ以外の画像データであっても、関連データ生成部１３はそのような画像データのサムネイル画像やインデックスデータを生成し、主制御部１０の制御の下、関連データ記憶部１５に記憶されるようにしてもよい。このようにすることで、撮影部２により撮影された画像データ以外の画像データであってもサムネイル画像やインデックスデータを基に表示部４に表示させることができ、操作性や利便性をより高めることができる。
【００３９】
また、本実施形態における関連データ生成部１３の構成は、内部メモリ１４に記憶されている画像データの一部又は全部と、外部メモリ３に記憶されている画像データの一部又は全部とが同一であっても、両画像データに係るサムネイル画像及びインデックスデータをそれぞれ表示部４に表示可能である構成としたが、このように両画像データが同一に係る場合には、いずれか一方のみの阿像データに係るサムネイル画像及びインデックスデータのみを生成するよう構成してもよい。こうすることにより、重複したサムネイル画像及びインデックスデータが生成・保存されるのを防止することができ、関連データ記憶部１５の容量の軽減を図ることができると共に操作性や利便性をより高めることができる。なお、画像データの同一性判断は、画像データに含まれる撮影日時、データサイズ等の情報に基づいて行うようにすればよい。
【００４０】
また、外部メモリは、メモリカードのような着脱式のフラッシュメモリー以外にも、フロッピーディスク（登録商標）や、外付けハードディスク、又は、ネットワーク上のサーバであってもよく、着脱可能あるいは接続／非接続状態の切り替えが可能な記憶媒体であればよい。
【００４１】
また、本実施形態においては、第１データ及び第２データとして画像データを例に説明
したが、本発明における第１データ及び第２データは、このような画像データに限ること
なく、例えば音楽データ、ムービーデータ等、その他のデータあってもよい。要は、それ
らのデータを内部メモリ１４又は外部メモリ３に記憶した上で、その縮小データ表示部４
に一覧表示させた上で、ユーザーがその表示を基に閲覧・再生・動作可能な構成であれば
よい。
【００４２】
また、上記した実施の形態によれば、表示機器として、携帯電話端末に使用される表示機器を例示してが、携帯電話端末に制限されず、デジタルカメラ、あるいはデジタルカメラを搭載した機器の表示機器として全てに応用が可能である。
【図面の簡単な説明】
【００４３】
【図１】本発明の実施の形態にかかわる表示機器の内部構成を示すブロック図である。
【図２】本発明の実施形態において使用されるインデックステーブルのデータ構造の一例を示す図である。
【図３】本発明の実施の形態にかかわる表示機器の動作を説明するために引用したフローチャートである。
【図４】本発明の実施の形態にかかわる表示機器の動作を説明するために引用したフローチャートである。
【図５】本発明の実施の形態にかかわる表示機器の動作を説明するために引用した動作概念図である。
【図６】本発明の実施の形態にかかわる表示機器の動作を説明するために引用した動作概念図である。
【符号の説明】
【００４４】
１…装置本体、２…撮像部、３…外部メモリ（第２記憶部）、４…表示部、５…操作入力部、１０…主制御部、１１…画像データ生成部、１２…接続インタフェース部、１３…関連データ生成部、１４…内部メモリ（第１記憶部）、１５…関連データ記憶部、１６…表示制御部、１７…入力データ取得部。
【図１】
2008022163.tif 000003
【図２】
2008022163.tif 000004
【図３】
2008022163.tif 000005
【図４】
2008022163.tif 000006
【図５】
2008022163.tif 000007
【図６】
2008022163.tif 000008